(57)【要約】【課題】  重複使用の除湿装置の提供。【解決手段】  上ケース、下ケースで組成されて吸湿材を収容する収容ケース中に、直立するファン室が設けられ、ファン室中に電池ケース、電池カバー及びそのなかに収容される電子装置とファンで組成された送風装置が嵌め込まれ、送風装置により空気を吸入して収容ケース中の吸湿材を通過させ、吸湿材の除湿効率を加速し、該送風装置が上ケースと下ケースの固定装置とされ、収容ケースの下に空気中より吸い出された水分を受けるトレイが設けられ、送風装置と上ケースが簡単に着脱可能で、吸湿材の補充に便利とされる。【選択図】        図８
0003108074.tif 000002
【実用新案登録請求の範囲】
【請求項１】
上ケース、下ケースで組成されて吸湿材を収容する収容ケース中に開口を上に有するファン室が設けられ、ファン室を中心として外向きに輻射状に複数の送風用のガイド溝が設けられ、ファン室中に一組の、電池ケース、電池カバー及びそのなかに収容された電子装置とファンで組成されたモジュール式の送風装置が設けられ、送風装置モジュール中の電池ケースの周辺及びファン室の対応位置に係止突起と係止溝が設けられて上ケースと下ケースの固定装置とされ、送風装置が上より空気を吸入し、収容ケース中のガイド溝を全面的に通過させ、吸湿材に急速な除湿を行なわせ、空気中より濾し出した水分を収容ケースの下に嵌合されたトレイ中に落とし、送風装置モジュールにより上ケースを簡単に着脱でき、吸湿材の補充に便利とされたことを特徴とする、重複使用の除湿装置。
【考案の詳細な説明】
【技術分野】
【０００１】
本考案は一種の重複使用の除湿装置に係り、吸湿材（除湿顆粒）で空気中の水分を濾し出すもので、上ケース、下ケースで組成された吸湿材の収容ケース中に、通風用のガイド溝が設けられ、吸湿材との接触面積が増され、並びにファン室が設けられ、ファンで組成された送風装置が強制的に空気を流動させて除湿速度を高め、且つ送風装置が上ケースと下ケースの固定装置とされ、収容ケースの下に空気中より濾し出した水分を受けるトレイが設けられ、送風装置と上ケースが簡単に着脱でき吸湿材の補充に便利とされた重複使用の除湿装置に関する。
【背景技術】
【０００２】
吸湿材（除湿顆粒）で空気中の水分を濾し出す使い捨て式の除湿装置は、通常、上層と下層の二層に分けられたケースの上層に吸湿材が充填され、下層が空気中より濾し出した水分を受けるタンクとされ、上層と下層の間はネット或いは上下に貫通する孔を具えた板体で隔てられ、上部は通気紙或いは布で閉じられている。このような除湿装置は自然の空気流動により湿度過大の空気を除湿するが、その唯一の入気口はまた排気口でもある上端開口とされ、通気紙が設けられているため、その除湿作用は非常に緩慢であり、このため除湿の有効範囲は非常に小さく、或いは距離が遠くなるほど湿度制御落差が非常に大きくなる。
【考案の開示】
【考案が解決しようとする課題】
【０００３】
本考案は一種の重複使用の除湿装置を提供することを目的とし、それは、上ケース、下ケースで組成されて吸湿材を収容する収容ケース中に上に開口を有するファン室が設けられ、ファン室を中心として外向きに輻射状に複数の送風用のガイド溝が設けられ、ファン室中に一組の、電池ケース、電池カバー及びそのなかに収容された電子装置とファンセットで組成されたモジュール式の送風装置が設けられ、送風装置モジュール中の電池ケースの周辺及びファン室の対応位置に係止突起と係止溝が設けられて上ケースと下ケースの固定装置とされ、送風装置が上より空気を吸入し、全面的に収容ケース中のガイド溝を通過させ、吸湿材に急速な除湿を行なわせ、空気中より濾し出した水分を収容ケースの下に嵌合されたトレイ中に落とし、送風装置モジュールにより上ケースを簡単に着脱でき、吸湿材の補充に便利とされている。
【課題を解決するための手段】
【０００４】
請求項１の考案は、上ケース、下ケースで組成されて吸湿材を収容する収容ケース中に開口を上に有するファン室が設けられ、ファン室を中心として外向きに輻射状に複数の送風用のガイド溝が設けられ、ファン室中に一組の、電池ケース、電池カバー及びそのなかに収容された電子装置とファンで組成されたモジュール式の送風装置が設けられ、送風装置モジュール中の電池ケースの周辺及びファン室の対応位置に係止突起と係止溝が設けられて上ケースと下ケースの固定装置とされ、送風装置が上より空気を吸入し、収容ケース中のガイド溝を全面的に通過させ、吸湿材に急速な除湿を行なわせ、空気中より濾し出した水分を収容ケースの下に嵌合されたトレイ中に落とし、送風装置モジュールにより上ケースを簡単に着脱でき、吸湿材の補充に便利とされたことを特徴とする、重複使用の除湿装置としている。
【考案の効果】
【０００５】
本考案の重複使用の除湿装置は、送風装置モジュールが上ケースと下ケースが組み合わされてなる吸湿材収容ケースが形成され、並びに収容ケースの全面に分布し通過する通風システムが組立られ、吸湿材が急速な除湿を行なえ、強制的な空気導流により、有効に除湿距離を増加でき、有限な空間中での除湿効果を均一とし、送風装置モジュールが簡単な上ケースの着脱を提供し、吸湿材の補充に便利で、その構造は新規性と実用性を有している。
【考案を実施するための最良の形態】
【０００６】
図１は本考案の立体図であり、外観から言って、それは上ケース１を具えた収容ケースと、電池ケース４、電池カバー３を具えた送風装置モジュール、及びトレイ７を具え、該電池カバー３に指示ランプを具えたランプカバー３３があり、上ケース１の周辺に出風口１２が設けられ、電池ケース４と電池カバー３の間に入気ガイド孔４３が設けられ、入気ガイド孔４３から出風口１２が空気の流通する経路とされている。
【０００７】
図２は本考案の重複使用の除湿装置の包装運搬時の組合せ図である。前述の上ケース１、及び下ケース２で組成された収容ケース中のファン室中に、電池ケース４、電池カバー３及びそのなかに収容された電子装置５とファン６で組成されたモジュール式の送風装置が嵌め置かれ、送風装置モジュールと収容ケースが結合されて除湿装置を形成する。図中に示されるのは全体の除湿装置が倒置されトレイ７に嵌め込まれた状態であり、こうして包装体積を減らすことができる。
【０００８】
本考案の部品については図３の本考案の立体分解図に示されるとおりである。本考案は、上ケース１、下ケース２で組成された収容ケース、電池カバー３、電池ケース４及びそのなかに収容された電子装置５とファン６で組成されたモジュール式の送風装置、及び、トレイ７の三大モジュール部品で構成されている。
【０００９】
図示される実施例では、上ケース１が倒置された皿状とされ、その周辺に出風口１２が設けられ、上ケース１の上方に円錐形の上孔１１が設けられ、上孔１１の下端面に一組の係止突起１１１が設けられている。下ケース２は開口が上の桶形を呈し、その内部に内外の二室を具え、内室はファン室２２とされ、その外周が吸湿材室２１とされ、吸湿材室２１と上孔１１は同軸関係とされ、その内周面に内向きに一組の係止突起２２１が凸設され（図８）、該係止突起２２１は上孔１１の下の係止突起１１１と互い違いになるよう設けられ、吸湿材室２１内に複数のガイド溝２３と、吸湿材室２１より底面に貫通する内通風孔２４が設けられ、吸湿材室２１の外壁と下ケース２の外壁の間が隔てられて気流ガイド溝２５が形成され、上述のガイド溝２３はファン室２２から気流ガイド溝２５まで連通する風道とされ、別に下ケース２の外壁周面に複数の係止突起２６が凸設されている。
【００１０】
該送風装置モジュールは電池カバー３、電池ケース４及びそのなかに収容された電子装置５とファン６で組成されている。そのうち、電池カバー３はノブ状とされ、その上方に回転操作に供されるハンドル３１が設けられ、電池カバー３の上にランプカバー孔３２が設けられ、ランプカバー孔３２内にランプカバー３３が嵌め込まれて指示ランプの光を案内する。電池ケース４は管状体とされ、その上端中間が電池室４１とされ、電池室４１の下が電子装置を嵌め込む空間とされ、左右両側が上下に貫通する入気ガイド孔４３とされ、底部は底蓋４４で遮蔽され、底蓋４４の中間が貫通して入気ガイド孔４３末端に連通する入気孔４４１とされている。電池ケース４の周辺に係止溝４２が設けられ、係止溝４２は左右に分けられて下係止溝４２１と上係止溝４２２とされ、下係止溝４２１はファン室２２の係止突起２２１に対応し、上係止溝４２２は上孔１１の係止突起１１１に対応するよう設けられている。電子装置５中に電池５４、基板５２、指示ランプ５３、電池接点５５及びモータ５１が設けられている。電池５４は電池室４１中に嵌め込まれ、その他は基板５２に嵌着され、指示ランプ５３はランプカバー３３の下方に位置を合わされ、モータ５１は電池ケース４の中央に直立するよう設けられ、ファン６は直接モータ５１の軸に嵌合される。
【００１１】
トレイ７は皿状体とされ、その中空内部は貯水室７１とされ、貯水室７１の上端に内側に沿って複数の下ケースの係止突起２６に対応する係止溝７２が設けられ、貯水室７１の前端の突出部が注ぎ口７３とされている。
【００１２】
全体の組合せ後の構造は図４の本考案の平面図と正面縦断面図に示される。そのうち上ケース１と下ケース２が上下に結合されてなる収容ケース中のファン室２２中に送風装置モジュールが嵌め込まれ、送風装置モジュールは電池ケース４、電池カバー３及びそのなかに収容される電子装置５とファン６を具え、収容ケースの底部にトレイ７が嵌合されている。送風装置モジュールはその上部部品の電池カバー３のハンドル３１操作により回転し、その電池ケース４の上端部と下係止溝４２１が上ケースの上孔の係止突起１１１と下ケースのファン室の係止突起２２１に嵌合し、これにより上ケース１と下ケース２と送風装置が結合され一体となる。そのうち、電池ケース４の入気ガイド孔４３、底蓋の入気孔４４１、ファン室２２、ガイド溝２３及び気流ガイド溝２５、出風口１２が連通して気流通路を形成し、ガイド溝２３位置に複数の通風孔２４が設けられて、流通する空気が吸湿材室２１中の除湿顆粒に接触させられる。
【００１３】
除湿装置中の除湿顆粒を補充する方式は図５に示されるとおりである。電池カバー３のハンドル３１を回せば全体の送風装置モジュールを回転させられ、右限界点まで回すと、上ケース１と下ケース２を分離させられ（図６）、この位置で電池ケース４の下係止溝４２１が下ケース２のファン室の係止突起２２１より離脱し、上係止溝４２２が回転により上孔の係止突起下方に係止される時、送風装置モジュールは下ケース２の係止より離脱し、僅かに上ケース１のみに係止され、これにより上ケース１に連帯して送風装置モジュールを持ち上げることができ、これにより除湿顆粒を補充できる。反対の操作により上ケース１に連動して送風装置モジュールを下ケース２と組み合わせることができ、電池カバー３を逆転させれば、上係止溝が上ケースの上孔の係止突起より離脱し、下係止溝が下ケース２のファン室の係止突起２２１の下に係合され、上、下ケースが再結合され一体となる。
【００１４】
電池５４を交換する時は、図７に示されるように、電池カバー３を回して開き電池室４１を露出させれば電池を交換できる。
【００１５】
本考案は図８の分解図に示されるように、上ケース１、下ケース２で組成された収容ケース、電池カバー３、電池ケース４及びそのなかに収容された電子装置５及びファン６からなる送風装置、及びトレイ７の三つの部分からなる。包装運搬過程中に、収容ケースの下ケース２とトレイ７が分離できるほか、使用前に下ケース２をトレイ７の上に嵌合した後にはそれを分離できない。送風装置は初期組立時には電池カバー３を左右の二つの限界点の間で回す時、中間角度で上ケース１の上孔１１を通過し、ファン室２２中に進入する。
【図面の簡単な説明】
【００１６】
【図１】本考案の立体図である。
【図２】本考案の使用例立体図である。
【図３】本考案の立体分解図である。
【図４】本考案の平面図と正面図縦断面図である。
【図５】本考案の操作の表示図である。
【図６】本考案の操作の表示図である。
【図７】本考案の操作の表示図である。
【図８】本考案の分解図である。
【符号の説明】
【００１７】
１  上ケース          １１  上孔          １１１  係止突起
１２  出風口
２  下ケース          ２１  吸湿材室      ２２  ファン室
２２１  係止突起      ２３  ガイド溝      ２４  内通風孔
２５  気流ガイド溝    ２６  係止突起
３  電池カバー        ３１  ハンドル      ３２  ランプカバー孔
３３  ランプカバー
４  電池ケース        ４１  電池室        ４２  係止溝
４２１  下係止溝      ４２２  上係止溝    ４３  入気ガイド孔
４４  底蓋            ４４１  入気孔
５  電子装置          ５１  モータ        ５２  基板
５３  指示ランプ      ５４  電池          ５５  電池接点
６  ファン
７  トレイ            ７１  貯水室        ７２  係止溝
７３  注ぎ口
【図１】
0003108074.tif 000003
【図２】
0003108074.tif 000004
【図３】
0003108074.tif 000005
【図４】
0003108074.tif 000006
【図５】
0003108074.tif 000007
【図６】
0003108074.tif 000008
【図７】
0003108074.tif 000009
【図８】
0003108074.tif 000010